(57)【特許請求の範囲】
【請求項１】
３次元ＣＡＤシステムにより生成される３次元ＣＡＤデータからの変換により作成した３次元形状データを、ネットワークに接続されたクライアント端末に提示して閲覧可能とする３次元形状データ閲覧制御装置であって、
３次元ＣＡＤデータの変換により作成された３次元形状データを記憶可能な第１及び第２の記憶手段と、
ユーザ毎に第１の認証記号を割り当てることにより、前記第１の記憶手段に記憶されている３次元形状データを提示するためのアクセス権限を付与する第１のアクセス権限付与手段と、
前記クライアント端末にて入力された認証記号を検証することにより、前記第１のアクセス権限付与手段で割り当てられた第１の認証記号であるか否かを判別する第１の検証手段と、
前記第１の検証手段が第１の認証記号であると判別した場合に、前記第１の記憶手段に記憶されている３次元形状データを、前記クライアント端末から送られた要求に応答して提示する第１の提示制御手段と、
前記第１の記憶手段に記憶されている３次元形状データに含まれる一部のデータを、圧縮された状態で前記第１の記憶手段から前記第２の記憶手段に転送して記憶させる転送手段と、
前記第１のアクセス権限付与手段によって割り当てられる第１の認証記号とは別個に、ユーザ毎に第２の認証記号を割り当てることにより、前記第２の記憶手段に記憶されている３次元形状データを提示するためのアクセス権限を付与する第２のアクセス権限付与手段と、
前記クライアント端末にて入力された認証記号を検証することにより、前記第２のアクセス権限付与手段で割り当てられた第２の認証記号であるか否かを判別する第２の検証手段と、
前記第２の検証手段が第２の認証記号であると判別した場合に、前記第２の記憶手段に記憶されているデータを、前記クライアント端末にて選択可能に表示させ、当該クライアント端末にて選択されたデータを圧縮されたままの状態で前記第２の記憶手段から読み出し、前記クライアント端末に送ってダウンロードさせる第２の提示制御手段とを備え、
前記第１のアクセス権限付与手段は、
前記クライアント端末から受けたアクセス権限取得の申請が一次審査者による一次審査を通過したか否かを判別する一次審査判別手段と、
前記一次審査判別手段により一次審査を通過したと判別された場合に、一次審査者に承認代行権限があるか否かを判別する承認代行権限判別手段と、
前記承認代行権限判別手段により承認代行権限があると判別された場合に、一次審査者によるアクセス権限付与の決裁がなされたか否かを判別する第１の決裁判別手段と、
前記承認代行権限判別手段により承認代行権限がないと判別された場合に、承認権限を有する管理者によるアクセス権限付与の決裁がなされたか否かを判別する第２の決裁判別手段と、
前記一次審査判別手段により一次審査を通過しなかったと判別された場合と、前記第１及び第２の決裁判別手段のいずれかにより決裁がなされなかったと判別された場合に、申請が却下された旨を通知する申請却下通知手段と、
前記第１及び第２の決裁判別手段のいずれかにより決裁がなされたと判別された場合に、第１の認証記号を通知する認証記号通知手段とを含む
ことを特徴とする３次元形状データ閲覧制御装置。
【請求項２】
３次元ＣＡＤシステムにより生成される３次元ＣＡＤデータからの変換により作成した３次元形状データを、ネットワークに接続されたクライアント端末に提示して閲覧可能とする３次元形状データ閲覧制御装置であって、
３次元ＣＡＤデータの変換により作成された３次元形状データを、各３次元形状データを識別するための第１の識別記号、及び、３次元形状データで示す部品が採用されるユニット或いは製品を識別するための第２の識別記号と関連付けて記憶する第１の記憶手段と、
前記第１の記憶手段に記憶されている３次元形状データに含まれる一部のデータを記憶可能な第２の記憶手段と、
ユーザ毎に第１の認証記号を割り当てることにより、前記第１の記憶手段に記憶されている３次元形状データを提示するためのアクセス権限を付与する第１のアクセス権限付与手段と、
前記クライアント端末にて入力された認証記号を検証することにより、前記第１のアクセス権限付与手段で割り当てられた第１の認証記号であるか否かを判別する第１の検証手段と、
前記第１の検証手段が第１の認証記号であると判別した場合に、前記第１の記憶手段に記憶されている３次元形状データを、前記クライアント端末から送られた要求に応答して提示する第１の提示制御手段と、
前記第１の記憶手段に記憶されている３次元形状データに含まれる一部のデータを、前記第２の記憶手段に転送して記憶させる転送手段と、
ユーザ毎に第２の認証記号を割り当てることにより、前記第２の記憶手段に記憶されている３次元形状データを提示するためのアクセス権限を付与する第２のアクセス権限付与手段と、
前記クライアント端末にて入力された認証記号を検証することにより、前記第２のアクセス権限付与手段で割り当てられた第２の認証記号であるか否かを判別する第２の検証手段と、
前記第２の検証手段が第２の認証記号であると判別した場合に、前記第２の記憶手段に記憶されているデータを、前記クライアント端末から送られた要求に応じて提示する第２の提示制御手段とを備え、
前記転送手段は、
前記第１の検証手段により第１の認証記号であると判別された認証記号を入力した前記クライアント端末にて、前記第１の記憶手段に記憶されている３次元形状データと関連付けられた第１及び第２の識別記号を選択して入力可能とする選択入力手段と、
前記選択入力手段により入力された第１及び第２の識別記号に関連付けられた３次元形状データを、前記第１の記憶手段から読み出し、前記第２の記憶手段に転送して記憶させる選択読出手段とを含む
ことを特徴とする３次元形状データ閲覧制御装置。
【請求項３】
前記第１の記憶手段に記憶されている３次元形状データの属性情報を、第１の識別記号と関連付けて記憶する属性情報記憶手段と、
前記選択読出手段が前記第１の記憶手段から読み出した３次元形状データと、前記属性情報記憶手段に記憶された属性情報との関連付けを削除する関連削除手段とを備え、
前記転送手段は、前記関連削除手段により関連付けが削除された３次元形状データを、前記第２の記憶手段に転送して記憶させる
ことを特徴とする請求項２に記載の３次元形状データ閲覧制御装置。
【請求項４】
前記第１の記憶手段に記憶されている３次元形状データから属性に関する一部のデータを削除するデータ削除手段を備え、
前記転送手段は、前記データ削除手段により一部のデータが削除された３次元形状データを、前記第２の記憶手段に転送して記憶させる
ことを特徴とする請求項１、２又は３に記載の３次元形状データ閲覧制御装置。
【請求項５】
前記データ削除手段が削除するデータは、３次元形状データを識別するための識別番号を示すデータと、３次元形状データの作成者を示すデータとを含む
ことを特徴とする請求項４に記載の３次元形状データ閲覧制御装置。
【請求項６】
前記第１のアクセス権限付与手段は、予め割り当てた第３の認証記号が入力された場合に、当該第３の認証記号に関する設定を変更可能とする
ことを特徴とする請求項１から５のいずれか１項に記載の３次元形状データ閲覧制御装置。
【請求項７】
前記第１の記憶手段に記憶されている３次元形状データを取得するためのアクセスがなされた履歴を記憶する履歴記憶手段を備える
ことを特徴とする請求項１から６のいずれか１項に記載の３次元形状データ閲覧制御装置。
【請求項８】
前記クライアント端末にて前記第１の記憶手段に記憶されているデータの複写指令が入力されたことを検出する指令検出手段と、
前記指令検出手段が複写指令を検出したことに応答して、前記クライアント端末にて複写指令を入力したユーザに前記第１のアクセス権限付与手段が割り当てた第１の認証記号を、前記第１の提示制御手段が前記第１の記憶手段から読み出した３次元形状データに付加する記号付加手段とを備え、
前記第１の提示制御手段は、前記第１の検証手段により第１の認証記号であると判別された認証記号を入力した前記クライアント端末に対して、前記第１の記憶手段から読み出した３次元形状データを、前記記号付加手段が付加した認証記号と共に提示する
ことを特徴とする請求項１から７のいずれか１項に記載の３次元形状データ閲覧制御装置。
【発明の詳細な説明】
【０００１】
【発明の属する技術分野】
この発明は、３次元ＣＡＤシステムを用いて設計された物品に関する情報を効率よく共有化するための３次元形状データ閲覧制御装置に関する。
【０００２】
【従来の技術】
３次元ＣＡＤシステムを用いて、例えば複写機やＦＡＸ、プリンタ等に代表される画像形成装置の設計を行い、その設計情報を複数のユーザ間で共有化することが考えられている。この際、３次元ＣＡＤシステムにより生成される設計情報のデータ量は、例えば数百ＭＢといった、大きなものになることがある。
他方、設計業務においては、設計中の情報の管理者による確認を容易にしたり、他の設計部署で作成された関連製品・ユニット・部品に関するデータの利用を容易にするなどの観点から、設計情報を効率よく共有化することが望まれている。さらに、サービスや営業業務における製品・ユニット・部品の形状確認を容易にする点からも、設計情報の共有化に対する強い要求が存在する。
【０００３】
【発明が解決しようとする課題】
しかしながら、従来では、ネットワークのデータ転送速度や記憶装置における記憶容量、各ユーザが使用するコンピュータの処理性能等に基づく制約のため、大きなデータ量を有する設計情報の共有化が困難なものとなっていた。
【０００４】
そこで、３次元ＣＡＤシステムにより生成された設計情報を縮小するなどして、データ量を削減した情報の共有化を図ることが考えられる。この際、共有化された情報を取得するためのアクセス権限をどのようにして管理するかが問題となる。
【０００５】
この発明は、上記実状に鑑みてなされたものであり、３次元ＣＡＤシステムにより生成された設計情報からの変換により作成した情報を共有化し、アクセス権限を適切に管理することができる３次元形状データ閲覧制御装置を、提供することを目的とする。
【０００６】
【課題を解決するための手段】
上記目的を達成するため、この発明の第１の観点に係る３次元形状データ閲覧制御装置は、
３次元ＣＡＤシステムにより生成される３次元ＣＡＤデータからの変換により作成した３次元形状データを、ネットワークに接続されたクライアント端末に提示して閲覧可能とする３次元形状データ閲覧制御装置であって、
３次元ＣＡＤデータの変換により作成された３次元形状データを記憶可能な第１及び第２の記憶手段と、
ユーザ毎に第１の認証記号を割り当てることにより、前記第１の記憶手段に記憶されている３次元形状データを提示するためのアクセス権限を付与する第１のアクセス権限付与手段と、
前記クライアント端末にて入力された認証記号を検証することにより、前記第１のアクセス権限付与手段で割り当てられた第１の認証記号であるか否かを判別する第１の検証手段と、
前記第１の検証手段が第１の認証記号であると判別した場合に、前記第１の記憶手段に記憶されている３次元形状データを、前記クライアント端末から送られた要求に応答して提示する第１の提示制御手段と、
前記第１の記憶手段に記憶されている３次元形状データに含まれる一部のデータを、圧縮された状態で前記第１の記憶手段から前記第２の記憶手段に転送して記憶させる転送手段と、
前記第１のアクセス権限付与手段によって割り当てられる第１の認証記号とは別個に、ユーザ毎に第２の認証記号を割り当てることにより、前記第２の記憶手段に記憶されている３次元形状データを提示するためのアクセス権限を付与する第２のアクセス権限付与手段と、
前記クライアント端末にて入力された認証記号を検証することにより、前記第２のアクセス権限付与手段で割り当てられた第２の認証記号であるか否かを判別する第２の検証手段と、
前記第２の検証手段が第２の認証記号であると判別した場合に、前記第２の記憶手段に記憶されているデータを、前記クライアント端末にて選択可能に表示させ、当該クライアント端末にて選択されたデータを圧縮されたままの状態で前記第２の記憶手段から読み出し、前記クライアント端末に送ってダウンロードさせる第２の提示制御手段とを備え、
前記第１のアクセス権限付与手段は、
前記クライアント端末から受けたアクセス権限取得の申請が一次審査者による一次審査を通過したか否かを判別する一次審査判別手段と、
前記一次審査判別手段により一次審査を通過したと判別された場合に、一次審査者に承認代行権限があるか否かを判別する承認代行権限判別手段と、
前記承認代行権限判別手段により承認代行権限があると判別された場合に、一次審査者によるアクセス権限付与の決裁がなされたか否かを判別する第１の決裁判別手段と、
前記承認代行権限判別手段により承認代行権限がないと判別された場合に、承認権限を有する管理者によるアクセス権限付与の決裁がなされたか否かを判別する第２の決裁判別手段と、
前記一次審査判別手段により一次審査を通過しなかったと判別された場合と、前記第１及び第２の決裁判別手段のいずれかにより決裁がなされなかったと判別された場合に、申請が却下された旨を通知する申請却下通知手段と、
前記第１及び第２の決裁判別手段のいずれかにより決裁がなされたと判別された場合に、第１又は第２の認証記号を通知する認証記号通知手段とを含む
ことを特徴とする。
【０００７】
この発明によれば、第２のアクセス権限付与手段は、ユーザ毎に第２の認証記号を割り当てることにより、第２の記憶手段に記憶されている３次元形状データを提示するためのアクセス権限を、第１のアクセス権限付与手段とは独立して付与する。
これにより、アクセス権限を適切に管理して、提供される情報のセキュリティを高めることができる。
また、この発明の第２の観点に係る３次元形状データ閲覧制御装置は、
３次元ＣＡＤシステムにより生成される３次元ＣＡＤデータからの変換により作成した３次元形状データを、ネットワークに接続されたクライアント端末に提示して閲覧可能とする３次元形状データ閲覧制御装置であって、
３次元ＣＡＤデータの変換により作成された３次元形状データを、各３次元形状データを識別するための第１の識別記号、及び、３次元形状データで示す部品が採用されるユニット或いは製品を識別するための第２の識別記号と関連付けて記憶する第１の記憶手段と、
前記第１の記憶手段に記憶されている３次元形状データに含まれる一部のデータを記憶可能な第２の記憶手段と、
ユーザ毎に第１の認証記号を割り当てることにより、前記第１の記憶手段に記憶されている３次元形状データを提示するためのアクセス権限を付与する第１のアクセス権限付与手段と、
前記クライアント端末にて入力された認証記号を検証することにより、前記第１のアクセス権限付与手段で割り当てられた第１の認証記号であるか否かを判別する第１の検証手段と、
前記第１の検証手段が第１の認証記号であると判別した場合に、前記第１の記憶手段に記憶されている３次元形状データを、前記クライアント端末から送られた要求に応答して提示する第１の提示制御手段と、
前記第１の記憶手段に記憶されている３次元形状データに含まれる一部のデータを、前記第２の記憶手段に転送して記憶させる転送手段と、
ユーザ毎に第２の認証記号を割り当てることにより、前記第２の記憶手段に記憶されている３次元形状データを提示するためのアクセス権限を付与する第２のアクセス権限付与手段と、
前記クライアント端末にて入力された認証記号を検証することにより、前記第２のアクセス権限付与手段で割り当てられた第２の認証記号であるか否かを判別する第２の検証手段と、
前記第２の検証手段が第２の認証記号であると判別した場合に、前記第２の記憶手段に記憶されているデータを、前記クライアント端末から送られた要求に応じて提示する第２の提示制御手段とを備え、
前記転送手段は、
前記第１の検証手段により第１の認証記号であると判別された認証記号を入力した前記クライアント端末にて、前記第１の記憶手段に記憶されている３次元形状データと関連付けられた第１及び第２の識別記号を選択して入力可能とする選択入力手段と、
前記選択入力手段により入力された第１及び第２の識別記号に関連付けられた３次元形状データを、前記第１の記憶手段から読み出し、前記第２の記憶手段に転送して記憶させる選択読出手段とを含む
ことを特徴とする。
さらに、前記第１の記憶手段に記憶されている３次元形状データの属性情報を、第１の識別記号と関連付けて記憶する属性情報記憶手段と、
前記選択読出手段が前記第１の記憶手段から読み出した３次元形状データと、前記属性情報記憶手段に記憶された属性情報との関連付けを削除する関連削除手段とを備え、
前記転送手段は、前記関連削除手段により関連付けが削除された３次元形状データを、前記第２の記憶手段に転送して記憶させることが望ましい。
【０００８】
前記第１の記憶手段に記憶されている３次元形状データから属性に関する一部のデータを削除するデータ削除手段を備え、
前記転送手段は、前記削除手段により一部のデータが削除された３次元形状データを、前記第２の記憶手段に転送して記憶させることが望ましい。
即ち、第２の記憶手段には、第１の記憶手段に記憶されている３次元形状データを簡略化したデータが記憶される。
【０００９】
より具体的には、前記データ削除手段が削除するデータは、３次元形状データを識別するための識別番号を示すデータと、３次元形状データの作成者を示すデータとを含むことが望ましい。
【００１２】
前記第１のアクセス権限付与手段は、予め割り当てた第３の認証記号が入力された場合に、当該第３の認証記号に関する設定を変更可能とすることが望ましい。
【００１３】
前記第１の記憶手段に記憶されている３次元形状データを取得するためのアクセスがなされた履歴を記憶する履歴記憶手段を備えることが望ましい。
【００１４】
前記クライアント端末にて前記第１の記憶手段に記憶されているデータの複写指令が入力されたことを検出する指令検出手段と、
前記指令検出手段が複写指令を検出したことに応答して、前記クライアント端末にて複写指令を入力したユーザに前記第１のアクセス権限付与手段が割り当てた第１の認証記号を、前記第１の提示制御手段が前記第１の記憶手段から読み出した３次元形状データに付加する記号付加手段とを備え、
前記第１の提示制御手段は、前記第１の検証手段により第１の認証記号であると判別された認証記号を入力した前記クライアント端末に対して、前記第１の記憶手段から読み出した３次元形状データを、前記記号付加手段が付加した認証記号と共に提示することが望ましい。
これにより、３次元形状データが第三者に漏洩することを防止することができ、提供される情報のセキュリティを高めることができる。
【００１５】
【発明の実施の形態】
以下に、図面を参照して、この発明の実施の形態に係るシステムについて詳細に説明する。
図１は、この発明の実施の形態に係るネットワークシステムの構成を模式的に示す。
図１に示すように、このシステムは、３次元ＣＡＤシステム１と、情報閲覧システム２とから構成される。
【００１６】
３次元ＣＡＤシステム１は、企業・団体などの事業体にて部品の設計を担当する設計部門等に敷設されたＬＡＮ、ＷＡＮなどを利用したイントラネット等から構成され、ネットワーク１０を介して接続されたＣＡＤ端末１１（１１１〜１１ｍ）と、ＣＡＤ管理サーバ１２と、変換処理装置１３と、属性管理サーバ１４とから構成される。
【００１７】
ＣＡＤ端末１１は、各設計部門に設置されるワークステーション等から構成され、例えば複写機、ＦＡＸ、プリンタ等の画像形成装置を構成する部品を設計するための端末である。
ＣＡＤ端末１１は、例えば図２に示すように、通信制御部１１１と、処理制御部１１２と、データ記憶部１１３と、入力処理部１１４と、表示処理部１１５とを備えている。
【００１８】
通信制御部１１１は、処理制御部１１２の制御により、ネットワーク１０を介して各種の情報を送受信するためのものである。
【００１９】
処理制御部１１２は、入力処理部１１４から入力された指示に従って、設計の対象となる部品の形状を示す画像情報を作成して表示処理部１１５に供給し、３次元ＣＡＤデータの作成を可能とする。また、処理制御部１１２は、通信制御部１１１を介して通信を行い、作成された３次元ＣＡＤデータ等の送受信を制御する。
【００２０】
データ記憶部１１３は、半導体メモリ、磁気ディスク記録装置等から構成され、各種の情報やプログラムを記録する。
【００２１】
入力処理部１１４は、キーボード、ポインティングデバイス等から構成され、指示やデータを入力するためのものである。
【００２２】
表示処理部１１５は、ディスプレイ装置、ビデオメモリ等から構成され、処理制御部１１２から供給された画像情報に対応する画面を表示することにより、設計部品の３次元形状や属性情報等を提示（出力）する。
【００２３】
図１に示すＣＡＤ管理サーバ１２は、３次元ＣＡＤシステム１全体で作成された３次元ＣＡＤデータを管理するためのコンピュータシステムである。
ＣＡＤ管理サーバ１２は、例えば図３に示すように、通信制御部１２１と、処理制御部１２２と、データ記憶部１２３と、入力処理部１２４と、表示処理部１２５とを備えている。通信制御部１２１と、処理制御部１２２と、データ記憶部１２３と、入力処理部１２４と、表示処理部１２５との構成は、基本的に、ＣＡＤ端末１１の通信制御部１１１と、処理制御部１１２と、データ記憶部１１３と、入力処理部１１４と、表示処理部１１５と同様である。但し、各部位の機能は、３次元ＣＡＤシステム１全体の３次元ＣＡＤデータ等を管理するための機能に特化している。
【００２４】
例えば、データ記憶部１２３は、３次元ＣＡＤシステム１で作成された３次元ＣＡＤデータ等を記録する機能を有しており、３次元ＣＡＤデータを記録するためのＣＡＤデータベース１２６と、属性情報を記録するための属性データベース１２７とを備えている。
【００２５】
ＣＡＤデータベース１２６は、設計部品の形状を特定するための位相情報や幾何情報を記録する。ここで、位相情報は、設計部品を示す画像の点と点、面と面のつながり方を示す情報等から構成される。また、幾何情報は、曲線や曲面の形状を示す曲線情報、曲線情報等から構成される。
【００２６】
属性データベース１２７は、３次元ＣＡＤデータに関連する各種の情報を記録するためのものであり、例えば、パーツ名称、パーツ部品番号、作成者、バージョン、３次元ＣＡＤデータを登録した年月日、最後に３次元形状データへの変換を行った年月日、３次元形状データへの変換予定時刻、承認を受けた年月日、色、体積、重心、慣性モーメント、精度、アセンブリ構成等を示す情報を記録する。
また、属性データベース１２７は、３次元ＣＡＤデータで示す部品に用いられている他の部品の部品番号であって、既に設計が完了している部品の部品番号を、当該３次元ＣＡＤデータで示す部品の部品番号と関連付けて記録する。さらに、属性データベース１２７は、３次元ＣＡＤデータで示す部品が採用されるユニット或いは製品のモデル名を、当該３次元ＣＡＤデータで示す部品の部品番号と関連付けて記録する。
【００２７】
データ記憶部１２３は、図４に示すような論理的構成を備えることで、こうした各種の情報を記憶する。
図４に示すように、データ記憶部１２３は、最新データ記憶領域１２３ａと、承認データ記憶領域１２３ｂと、登録日記憶領域１２３ｃと、変換日記憶領域１２３ｄと、予約時刻記憶領域１２３ｅと、第１及び第２の部品番号記憶領域１２３ｆ、１２３ｇと、モデル名記憶領域１２３ｈとを備えている。
【００２８】
最新データ記憶領域１２３ａは、正式データとしての承認処理を受けていない３次元ＣＡＤデータを記憶する領域であり、例えば承認を受けた年月日を示す情報がない３次元ＣＡＤデータを記憶する。
承認データ記憶領域１２３ｂは、正式データとしての承認処理を受けた３次元ＣＡＤデータを記憶する領域であり、承認を受けた年月日を示す情報が関連付けられた３次元ＣＡＤデータを記憶する。
最新データ記憶領域１２３ａと承認データ記憶領域１２３ｂは、例えば、それぞれに対応するフォルダを設け、上記の条件に従って３次元ＣＡＤデータを分類して格納することで、実現される。また、最新データ記憶領域１２３ａと承認データ記憶領域１２３ｂは、３次元ＣＡＤデータで示す部品が採用されるユニット或いは製品のモデル名と同一の名称が付けられたフォルダに、３次元ＣＡＤデータを分類して記憶する。
【００２９】
登録日記憶領域１２３ｃは、３次元ＣＡＤデータがＣＡＤデータベース１２６に登録された年月日を示す情報を、対応する３次元ＣＡＤデータと関連付けて記憶する領域である。
変換日記憶領域１２３ｄは、３次元ＣＡＤデータから３次元形状データへの変換処理が最後に実行された年月日を示す情報を、対応する３次元ＣＡＤデータと関連付けて記憶する領域である。
予約時刻記憶領域１２３ｅは、登録年月日が変換年月日よりも近時となる３次元ＣＡＤデータから３次元形状データへの変換処理を定期的に実行するため、予め設定された時刻を記憶する領域である。
【００３０】
第１の部品番号記憶領域１２３ｆは、３次元ＣＡＤデータが示す部品の部品番号を、対応する３次元ＣＡＤデータと関連付けて記憶する領域である。
第２の部品番号記憶領域１２３ｇは、３次元ＣＡＤデータが示す部品に用いられている他の部品であって、既に設計が完了している部品の部品番号を、第１の部品番号記憶領域１２３ｆに記憶されている本体の部品番号と関連付けて記憶する領域である。
モデル名記憶領域１２３ｈは、３次元ＣＡＤデータで示す部品が採用されるユニット或いは製品のモデル名を、第１の部品番号記憶領域１２３ｆに記憶されている部品番号と関連付けて記憶する領域である。
【００３１】
また、処理制御部１２２は、図３に示すように、日時計測部１２２ａと、日付比較部１２２ｂと、時刻比較部１２２ｃと、端末入力制御部１２２ｄと、検索処理部１２２ｅとを、論理的構成として備えている。
【００３２】
日時計測部１２２ａは、現在の日付と時刻をカウントするためのカレンダー及び時計である。
日付比較部１２２ｂは、登録日記憶領域１２３ｃに記憶されている情報が示す登録年月日と、変換日記憶領域１２３ｄに記憶されている情報が示す変換年月日とを比較するためのものである。即ち、日付比較部１２２ｂは、ＣＡＤデータベース１２６に記録されている３次元ＣＡＤデータの登録年月日と変換年月日とを、対応する３次元ＣＡＤデータごとに特定して比較する。
時刻比較部１２２ｃは、日時計測部１２２ａにより示される現在の時刻と、予約時刻記憶領域１２３ｅに記憶されている時刻とを比較するためのものである。
【００３３】
端末入力制御部１２２ｄは、通信制御部１２１によりＣＡＤ端末１１との間で通信することで、ＣＡＤ端末１１にて各種の情報を入力可能とするためのものである。例えば、端末入力制御部１２２ｄは、最新データ記憶領域１２３ａに記憶されている３次元ＣＡＤデータを正式データとして承認するための要求を、ＣＡＤ端末１１にて入力可能とする。
検索処理部１２２ｅは、ＣＡＤデータベース１２６を検索し、変換処理装置１３による変換の対象となる３次元ＣＡＤデータが示す部品で用いられている他の部品の３次元ＣＡＤデータを、抽出するためのものである。
【００３４】
図１に示す変換処理装置１３は、３次元ＣＡＤシステム１により作成された３次元形状データを、情報閲覧システム２において閲覧可能な形式の３次元形状データに変換するためのコンピュータシステムである。変換処理装置１３は、例えば図５に示すように、通信制御部１３１と、処理制御部１３２と、データ記憶部１３３と、入力処理部１３４と、表示処理部１３５とを備えている。通信制御部１３１と、処理制御部１３２と、データ記憶部１３３と、入力処理部１３４と、表示処理部１３５との構成は、基本的に、ＣＡＤ端末１１の通信制御部１１１と、処理制御部１１２と、データ記憶部１１３と、入力処理部１１４と、表示処理部１１５と同様である。但し、各部位の機能は、３次元ＣＡＤデータから３次元形状データへの変換処理を実行して配信するための機能に特化している。
【００３５】
例えば、通信制御部１３１は、ネットワーク１０を介してＣＡＤ管理サーバ１２から送られた情報を受信し、ネットワーク２０を介して、部内閲覧管理サーバ２２や遠隔地閲覧管理サーバ２４に、３次元形状データを含んだ各種の情報を送信する。
【００３６】
また、処理制御部１３２は、図５に示すように、変換処理部１３２ａと、配信制御部１３２ｂとを、論理的構成として備えている。
変換処理部１３２ａは、３次元ＣＡＤデータからの変換により、３次元形状データを作成するためのものである。
配信制御部１３２ｂは、ＣＡＤ管理サーバ１２から受け取った情報に基づいて３次元形状データの配信先を特定し、情報閲覧システム２が備える部内閲覧管理サーバ２２や遠隔地閲覧管理サーバ２４に各種の情報を配信して記憶させるためのものである。
【００３７】
属性管理サーバ１４は、情報閲覧システム２に対して公開される設計対象部品の属性を示す情報を管理するためのコンピュータシステムである。
属性管理サーバ１４は、例えば図６（ａ）に示すように、通信制御部１４１と、処理制御部１４２と、データ記憶部１４３と、入力処理部１４４と、表示処理部１４５とを備えている。通信制御部１４１と、処理制御部１４２と、データ記憶部１４３と、入力処理部１４４と、表示処理部１４５との構成は、基本的に、ＣＡＤ端末１１の通信制御部１１１と、処理制御部１１２と、データ記憶部１１３と、入力処理部１１４と、表示処理部１１５と同様である。但し、各部位の機能は、情報閲覧システム２に対する公開情報を管理するための機能に特化し、例えば、部内閲覧管理サーバ２２と協働して、ネットワーク２０を介したクライアント端末２１からのアクセスを管理するための処理を実行する機能などを有している。ここで、情報閲覧システム２に対して公開される属性情報としては、パーツ名称、パーツ部品番号、作成者、バージョン、作成年月日、表面積、体積、重心、慣性モーメントなどを示す情報がある。
【００３８】
属性管理サーバ１４は、こうした各種の属性情報を、例えばＣＡＤ管理サーバ１２に設けられたＣＡＤデータベース１２６に記録されている３次元ＣＡＤデータで示される部品の部品番号毎に関連付けて、データ記憶部１４３に記憶している。また、データ記憶部１４３は、ＣＡＤ管理サーバ１２のデータ記憶部１２３に設けられた第１及び第２の部品番号記憶領域１２３ｆ、１２３ｇ、モデル名記憶領域１２３ｈと同様の構造を有するデータを記憶し、各種の情報を関連付けて記憶する。属性管理サーバ１４に記憶されている情報は、情報閲覧システム２に設けられた部内閲覧管理サーバ２２に記憶されている３次元形状データとも関連付けられている。
【００３９】
情報閲覧システム２は、３次元ＣＡＤデータからの変換により作成された３次元形状データなどを閲覧するためのシステムであり、ネットワーク２０を介して接続されたクライアント端末２１（２１１〜２１ｎ）と、部内閲覧管理サーバ２２と、一般閲覧管理サーバ２３と、遠隔地閲覧管理サーバ２４とを備えて構成される。
【００４０】
クライアント端末２１は、パーソナルコンピュータ等から構成されるコンピュータシステムであり、部内閲覧管理サーバ２２や一般閲覧管理サーバ２３にアクセスして設計部品の形状を示す画像を閲覧するための端末である。
クライアント端末２１は、例えば図６（ｂ）に示すように、通信制御部２１１と、処理制御部２１２と、データ記憶部２１３と、入力処理部２１４と、表示処理部２１５とを備えている。通信制御部２１１と、処理制御部２１２と、データ記憶部２１３と、入力処理部２１４と、表示処理部２１５との構成及び機能は、基本的に、ＣＡＤ端末１１の通信制御部１１１と、処理制御部１１２と、データ記憶部１１３と、入力処理部１１４と、表示処理部１１５と同様である。
【００４１】
部内閲覧管理サーバ２２は、例えば所定の事業部門に所属する担当者に限定された閲覧システムを提供するためのコンピュータシステムである。
部内閲覧管理サーバ２２は、例えば図７に示すように、通信制御部２２１と、処理制御部２２２と、データ記憶部２２３と、入力処理部２２４と、表示処理部２２５とを備えている。通信制御部２２１と、処理制御部２２２と、データ記憶部２２３と、入力処理部２２４と、表示処理部２２５との構成は、基本的に、ＣＡＤ端末１１の通信制御部１１１と、処理制御部１１２と、データ記憶部１１３と、入力処理部１１４と、表示処理部１１５と同様である。但し、各部位の機能は、情報閲覧システム２において３次元形状データをクライアント端末２１に提示するための機能に特化している。
【００４２】
例えば、データ記憶部２２３は、変換処理装置１３での変換により作成された３次元形状データを記憶するため、最新データ記憶領域２２３ａと、承認データ記憶領域２２３ｂとを備えている。また、データ記憶部２２３は、クライアント端末２１から部内閲覧管理サーバ２２に対するアクセスの履歴を記憶するための履歴記憶領域２２３ｃを備えている。
【００４３】
最新データ記憶領域２２３ａは、正式データとしての承認処理を受けていない３次元ＣＡＤデータからの変換により作成された３次元形状データを記憶する。承認データ記憶領域２２３ｂは、正式データとしての承認処理を受けた３次元ＣＡＤデータからの変換により作成された３次元形状データを記憶する。
ここで、最新データ記憶領域２２３ａと、承認データ記憶領域２２３ｂは、変換処理装置１３により作成された３次元形状データを、各部品が採用されるユニット或いは製品のモデル名と同一の名称が付けられたフォルダに分類して記憶する。
【００４４】
また、処理制御部２２２は、図８に示すように、権限管理部２２２ａと、検証処理部２２２ｂと、提示処理部２２２ｃと、転送処理部２２２ｄと、端末入力制御部２２２ｅとを、論理的構成として備えている。
【００４５】
権限管理部２２２ａは、最新データ記憶領域２２３ａや承認データ記憶領域２２３ｂに記憶されている３次元形状データをクライアント端末２１に提示する際のアクセス権限を管理するためのものである。
検証処理部２２２ｂは、クライアント端末２１にて入力されたユーザＩＤやパスワードを検証して、部内閲覧管理サーバ２２にアクセスしてきたクライアント端末２１のユーザにアクセス権限が付与されているか否かを判別するためのものである。
提示処理部２２２ｃは、最新データ記憶領域２２３ａや承認データ記憶領域２２３ｂに記憶されている３次元形状データを読み出してクライアント端末２１に提供することにより、３次元形状データを用いた部品形状の閲覧を可能とするためのものである。
【００４６】
転送処理部２２２ｄは、最新データ記憶領域２２３ａや承認データ記憶領域２２３ｂに記憶されている３次元形状データに所定の処理を施して一般閲覧管理サーバ２３に転送するためのものである。例えば、転送処理部２２２ｄは、選択入力処理部２２２ｆと、選択読出処理部２２２ｇと、データ削除部２２２ｈと、関連削除部２２２ｉとを備えている。
【００４７】
選択入力処理部２２２ｆは、通信制御部によりクライアント端末２１との間で通信することで、一般閲覧管理サーバ２３に転送する３次元形状データを特定するための情報を、クライアント端末２１や部内閲覧管理サーバ２２にて入力可能とする。例えば、選択入力処理部２２２ｆは、所定の入力画面をクライアント端末２１や表示処理部２２５に表示させ、３次元形状データが示す部品の部品番号や、その部品が採用されるユニット或いは製品のモデル名を入力可能とする。
選択読出処理部２２２ｇは、選択入力処理部２２２ｆによりクライアント端末２１や入力処理部２２４にて入力された情報に基づいて、データ記憶部２２３から３次元形状データを読み出すためのものである。
【００４８】
データ削除部２２２ｈは、選択読出処理部２２２ｇがデータ記憶部２２３から読み出したデータのうち、一定のデータを削除するためのものである。例えば、データ削除部２２２ｈは、３次元形状データを識別するための識別番号を示すデータや、３次元形状データの作成者を示すデータを削除する。
関連削除部２２２ｉは、選択読出処理部２２２ｇがデータ記憶部２２３から読み出したデータと、属性管理サーバ１４に記憶されている属性情報との関連付けを削除するためのものである。
【００４９】
端末入力制御部２２２ｅは、通信制御部２２１によりクライアント端末２１との間で通信することで、クライアント端末２１にて各種の情報を入力可能とするためのものである。例えば、端末入力制御部２２２ｅは、クライアント端末２１に提示する３次元形状データを特定するための部品番号や、ユニット或いは製品のモデル名を、クライアント端末２１にて入力可能とする。
【００５０】
一般閲覧管理サーバ２３は、例えばグループウェア上に構築された情報管理システムを提供することにより、グループウェア上でのアクセス権限が付与された利用者による部品画像の閲覧等を可能とするためのコンピュータシステムである。
一般閲覧管理サーバ２３は、例えば図９に示すように、通信制御部２３１と、処理制御部２３２と、データ記憶部２３３と、入力処理部２３４と、表示処理部２３５とを備えている。通信制御部２３１と、処理制御部２３２と、データ記憶部２３３と、入力処理部２３４と、表示処理部２３５との構成は、基本的に、ＣＡＤ端末１１の通信制御部１１１と、処理制御部１１２と、データ記憶部１１３と、入力処理部１１４と、表示処理部１１５と同様である。但し、各部位の機能は、グループウェアのサーバソフトを実行することにより実現される各種の機能に特化し、例えば、グループウェア上で利用可能なデータベースを構築するためのデータがデータ記憶部２３３に記憶されている。ここで、データ記憶部２３３には、グループウェア上で部品の形状を閲覧するためのデータとして、３次元形状データを簡略化して圧縮したデータが記憶される。
【００５１】
また、処理制御部２３２は、権限管理部２３２ａと、検証処理部２３２ｂと、提示処理部２３２ｃとを、論理的構成として備えている。
【００５２】
権限管理部２３２ａは、グループウェア上でクライアント端末２１にデータを提示する際のアクセス権限を管理するためのものである。
検証処理部２３２ｂは、クライアント端末２１にて入力されたユーザＩＤやパスワードを検証して、一般閲覧管理サーバ２３にアクセスしてきたクライアント端末２１のユーザにアクセス権限が付与されているか否かを判別するためのものである。
提示処理部２３２ｃは、データ記憶部２３３に記憶されているデータを読み出してクライアント端末２１に提供することにより、グループウェア上で部品形状の閲覧を可能とするためのものである。
【００５３】
遠隔地閲覧管理サーバ２４は、部内閲覧管理サーバ２２の設置場所とは異なる遠隔地の拠点において、３次元形状データを管理するためのコンピュータシステムである。
遠隔地閲覧管理サーバ２４は、例えば図１０に示すように、通信制御部２４１と、処理制御部２４２と、データ記憶部２４３と、入力処理部２４４と、表示処理部２４５とを備えている。通信制御部２４１と、処理制御部２４２と、データ記憶部２４３と、入力処理部２４４と、表示処理部２４５との構成は、基本的に、ＣＡＤ端末１１の通信制御部１１１と、処理制御部１１２と、データ記憶部１１３と、入力処理部１１４と、表示処理部１１５と同様である。但し、各部位の機能は、３次元形状データを管理するための機能に特化している。
【００５４】
例えば、データ記憶部２４３は、最新データ記憶領域２４３ａと、承認データ記憶領域２４３ｂと、履歴記憶領域２４３ｃとを備えている。
最新データ記憶領域２４３ａは、正式データとしての承認処理を受けていない３次元ＣＡＤデータからの変換により変換処理装置１３が作成した３次元形状データを記憶する。
承認データ記憶領域２４３ｂは、正式データとしての承認処理を受けた３次元ＣＡＤデータからの変換により変換処理装置１３が作成した３次元形状データを記憶する。
【００５５】
以下に、上記構成のシステムにおける動作について説明する。
このシステムでは、３次元ＣＡＤシステム１により３次元ＣＡＤデータを作成し、情報閲覧システム２にて３次元形状データを用いた部品形状の閲覧を可能とする。
【００５６】
３次元ＣＡＤシステム１により３次元ＣＡＤデータを作成する際には、ＣＡＤ端末１１にて各種の情報を入力して、ＣＡＤ管理サーバ１２に送る。
ここで、ＣＡＤ管理サーバ１２の処理制御部１２２は、端末入力制御部１２２ｄにより、ＣＡＤ端末１１にて各種の情報を入力可能とする。即ち、端末入力制御部１２２ｄは、各種の情報を入力するための入力欄を備えた画像情報を作成して、通信制御部１２１によりネットワーク１０を介してＣＡＤ端末１１に送り、表示処理部１１５の画面上に表示させる。この入力画面では、例えば、３次元ＣＡＤデータで示す部品の部品番号や、その部品で用いられている他の部品の部品番号であって既に設計が完了している部品の部品番号、今回設計した部品が採用されるユニット或いは製品のモデル名といった情報の入力が要求される。ＣＡＤ端末１１では、入力処理部１１４を操作することにより、各種の情報を入力することができる。ＣＡＤ端末１１にて入力された情報は、ネットワーク１０を介してＣＡＤ管理サーバ１２や属性管理サーバ１４に送られる。
【００５７】
ＣＡＤ管理サーバ１２は、ＣＡＤ端末１１にて入力された各種の情報を受け取ると、受け取った情報を処理制御部１２２が分類してデータ記憶部１２３に記憶させる。即ち、処理制御部１２２は、新たに作成された３次元ＣＡＤデータを受け取ると、このデータを最新データ記憶領域１２３ａに記憶させる。この際、処理制御部１２２は、日時計測部１２２ａにより特定した現在の時刻を、３次元ＣＡＤデータの登録年月日として特定し、最新データ記憶領域１２３ａに記憶させた３次元ＣＡＤデータと関連付けて登録日記憶領域１２３ｃに記憶させる。また、処理制御部１２２は、ＣＡＤ端末１１にて入力された部品番号を受け取ると、今回受け取った３次元ＣＡＤデータが示す部品に対応するものを第１の部品番号記憶領域１２３ｆに関連付けて記憶させ、その部品で用いられている他の部品に対応するものを第２の部品番号記憶領域１２３ｇに関連付けて記憶させる。
【００５８】
処理制御部１２２は、ＣＡＤ端末１１にて入力されたモデル名を受け取ると、そのモデル名が既にモデル名記憶領域１２３ｈに記憶されているか否かを判別し、記憶されている場合には、そのモデル名と最新データ記憶領域１２３ａに記憶させた３次元ＣＡＤデータとを関連付ける。一方、未だモデル名記憶領域１２３ｈに記憶されていない場合には、新たにモデル名をモデル名記憶領域１２３ｈに記憶させ、そのモデル名と最新データ記憶領域１２３ａに記憶させた３次元ＣＡＤデータとを関連付ける。ここで、モデル名記憶領域１２３ｈにモデル名を記憶させて３次元ＣＡＤデータと関連付ける動作は、そのモデル名と同一の名称を有するフォルダ（ディレクトリー）に３次元ＣＡＤデータを分類して格納することと同等に履践される。即ち、モデル名記憶領域１２３ｈに記憶されたモデル名は、３次元ＣＡＤデータを分類して格納するためのカタログとしての機能を有する。
【００５９】
また、ＣＡＤ端末１１にて入力された部品の属性を示す情報は、属性管理サーバ１４に送られて、ＣＡＤ管理サーバ１２に記憶された３次元ＣＡＤデータと関連付けて記憶される。
【００６０】
以上のようにして、３次元ＣＡＤシステム１により作成されたデータが、ＣＡＤ管理サーバ１２や属性管理サーバ１４に登録されて管理される。
即ち、図１１に示すように、３次元ＣＡＤシステム１により作成されたデータは、ＣＡＤ端末１１に提供されて確認可能である（Ｌ１）。また、設計対象部品の形状を示すデータ（ＣＡＤ形状データ）及び構成情報（部品番号、ＣＡＤデータファイル名、部品名称、モデル名等）は、ＣＡＤ管理サーバ１２に登録され（Ｌ２）、部品の材質や色、比重といった部品の属性を示す部品属性情報は、属性管理サーバ１４に登録される（Ｌ３）。
【００６１】
このようにして、ＣＡＤ管理サーバ１２の最新データ記憶領域１２３ａには、設計中の部品を示す３次元ＣＡＤデータや、未だ正式データとしての承認を受けていない３次元ＣＡＤデータが記憶される。最新データ記憶領域１２３ａに記憶されている３次元ＣＡＤデータは、現在の時刻が予約時刻記憶領域１２３ｅに記憶されている時刻以後となることにより定期的に実行されるタイムスタンプによる変換の対象となり、変換処理装置１３により、新たに登録された３次元ＣＡＤデータから３次元形状データへの変換が行われる。
【００６２】
タイムスタンプによる変換を行うため、図１２のフローチャートに示す処理が実行される。ＣＡＤ管理サーバ１２が備える処理制御部１２２は、時刻比較部１２２ｃによる比較結果に基づいて、日時計測部１２２ａにより特定される現在の時刻が予約時刻記憶領域１２３ｅに記憶されている時刻以後となったことを検出すると、データ記憶部１２３に記憶されている所定の動作プログラムを実行し、図１２のフローチャートに示す処理を開始する。
【００６３】
図１２のフローチャートに示す処理が開始されると、処理制御部１２２は、対応する３次元形状データが存在しない３次元ＣＡＤデータを特定する。具体的には、処理制御部１２２が変換日記憶領域１２３ｄを検索し、変換年月日が無効な年月日となっている３次元ＣＡＤデータを特定することにより、未だ変換処理装置１３による３次元形状データへの変換がなされていない３次元ＣＡＤデータが存在するか否かを判別する（ステップＳ１）。
【００６４】
処理制御部１２２は、３次元形状データへの変換がなされていない３次元ＣＡＤデータが存在すると判別すると、当該３次元ＣＡＤデータを変換処理装置１３に送り、３次元形状データへの変換を依頼する。即ち、処理制御部１２２は、３次元形状データへの変換がなされていない設計部品の部品番号を第１の部品番号記憶領域１２３ｆから特定し、その部品番号と関連付けられている３次元ＣＡＤデータを最新データ記憶領域１２３ａから読み出して変換処理装置１３に送る。
【００６５】
この際、処理制御部１２２は、変換の対象となる３次元ＣＡＤデータが示す部品で用いられている他の部品の３次元ＣＡＤデータを、変換対象の３次元ＣＡＤデータと共に変換処理装置１３に送る。具体的には、処理制御部１２２は、検索処理部１２２ｅにより第２の部品番号記憶領域１２３ｇを検索し、変換の対象となる３次元ＣＡＤデータと関連付けられている部品番号を特定する。続いて、第１の部品番号記憶領域１２３ｆを検索し、第２の部品番号記憶領域１２３ｇで特定した部品番号を探す。第１の部品番号記憶領域１２３ｆで部品番号が見つかると、その部品番号と関連付けられた他の部品を示す３次元ＣＡＤデータを抽出することができる。処理制御部１２２は、こうして検索処理部１２２ｅにより抽出された３次元ＣＡＤデータを変換処理装置１３に送り、タイムスタンプによる変換の対象となる３次元ＣＡＤデータと共に、３次元形状データへの変換を依頼する。
【００６６】
このようにして、３次元形状データへの変換がなされていない３次元ＣＡＤデータが存在する場合には、変換処理装置１３がＣＡＤ管理サーバ１２から３次元ＣＡＤデータを受け取る。変換処理装置１３の処理制御部１３２は、所定の動作プログラムを実行することで、変換処理部１３２ａにより、受け取った３次元ＣＡＤデータに対応する３次元形状データを作成する（ステップＳ２）。即ち、変換処理部１３２ａは、ＣＡＤ管理サーバ１２にて処理制御部１２２が第１の部品番号記憶領域１２３ｆで部品番号を特定することによって最新データ記憶領域１２３ａから読み出した３次元ＣＡＤデータと、検索処理部１２２ｅにより抽出された３次元ＣＡＤデータとに対して、変換処理を施す。これにより、それぞれの３次元ＣＡＤデータに対応する３次元形状データが作成される。
変換処理部１３２ａによる変換が完了すると、ＣＡＤ管理サーバ１２の処理制御部１２２は、日時計測部１２２ａにより特定した現在の日付を変換年月日として、変換の対象となった３次元ＣＡＤデータと関連付けて変換日記憶領域１２３ｄに記憶させる。
【００６７】
また、変換処理装置１３は、３次元形状データへの変換を行う３次元ＣＡＤデータで示す部品が採用されるユニット或いは製品のモデル名を、ＣＡＤ管理サーバ１２から取得する（ステップＳ３）。ＣＡＤ管理サーバ１２の処理制御部１２２は、３次元形状データへの変換を行う３次元ＣＡＤデータを送る際に、その３次元ＣＡＤデータで示す部品が採用されるユニット或いは製品のモデル名を、モデル名記憶領域１２３ｈから読み出して変換処理装置１３に通知する。この際、処理制御部１２２は、変換処理装置１３に送る３次元ＣＡＤデータが示す部品の部品番号を、第１の部品番号記憶領域１２３ｆから読み出して変換処理装置１３に送る。なお、処理制御部１２２は、タイムスタンプによる変換の対象となる３次元ＣＡＤデータが示す部品の部品番号を、第１の部品番号記憶領域１２３ｆから読み出し、この３次元ＣＡＤデータと関連付けられた部品番号を、第２の部品番号記憶領域１２３ｇから読み出して、変換処理装置１３に送るようにしてもよい。
【００６８】
変換処理装置１３は、変換により作成した３次元形状データの配信先を示す情報を、ＣＡＤ管理サーバ１２から取得する（ステップＳ４）。ここで、ＣＡＤ管理サーバ１２の処理制御部１２２は、３次元形状データへの変換を行う３次元ＣＡＤデータを変換処理装置１３に送る際、その３次元ＣＡＤデータが記憶されている記憶領域（最新データ記憶領域１２３ａ、承認データ記憶領域１２３ｂ）を示す情報を、３次元ＣＡＤデータと共に変換処理装置１３に送る。また、３次元ＣＡＤデータの作成時に、ＣＡＤ端末１１にて３次元形状データの配信先が指定された場合には、その配信先を示す情報を３次元ＣＡＤデータと関連付けて属性データベース１２７に記録しておき、変換処理の際に、３次元ＣＡＤデータと共に変換処理装置１３へ送る。
【００６９】
こうして変換処理部１３２ａによる３次元ＣＡＤデータの変換処理が終了すると、配信制御部１３２ｂにより、ＣＡＤ管理サーバ１２から通知された配信先に３次元形状データが転送される（ステップＳ５）。例えば、配信制御部１３２ｂは、ＣＡＤ管理サーバ１２からの情報に基づいて、変換の対象となった３次元ＣＡＤデータが最新データ記憶領域１２３ａに記憶されているものであると判別し、変換処理で作成された３次元形状データを、ネットワーク２０を介して部内閲覧管理サーバ２２に転送し、最新データ記憶領域２２３ａに記憶させる。この際、配信制御部１３２ｂは、通信制御部１３１により部内閲覧管理サーバ２２に対して指令を送り、最新データ記憶領域２２３ａ内で、上記ステップＳ３にて取得したモデル名と同一の名称が付けられたフォルダに、３次元形状データを記憶させる。また、配信制御部１３２ｂは、それぞれの３次元形状データが示す部品の部品番号を、部内閲覧管理サーバ２２に通知する。
【００７０】
部内閲覧管理サーバ２２の処理制御部２２２は、変換処理装置１３から３次元形状データを受け取ると、それぞれの３次元形状データが示す部品の部品番号と関連付けて、データ記憶部２２３に記憶させる。これにより、タイムスタンプによる変換の対象となった３次元ＣＡＤデータに基づいて作成された３次元形状データは、そのデータが示す部品の部品番号と関連付けられて記憶される。また、ＣＡＤ管理サーバ１２にて検索処理部１２２ｅが抽出した３次元ＣＡＤデータに基づいて作成された３次元形状データは、検索処理部１２２ｅが第２の部品番号記憶領域１２３ｇを検索することで特定した部品番号と関連付けられて記憶される。
この際、それぞれの３次元形状データは、上記したようにモデル名と同一の名称が付けられたフォルダに分類して記憶されることで、それぞれのデータで示す部品が採用されるユニット或いは製品のモデル名とも関連付けられる。
【００７１】
配信制御部１３２ｂは、部内閲覧管理サーバ２２に転送する場合と同様にして、３次元形状データを遠隔地閲覧管理サーバ２４に転送し、ＣＡＤ管理サーバ１２からの情報に従った記憶領域（例えば、最新データ記憶領域２４３ａ）に記憶させる。
【００７２】
処理制御部１２２は、上記ステップＳ１にて全ての３次元ＣＡＤデータから３次元形状データへの変換がなされていると判別すると、日付比較部１２２ｂによる比較結果に基づいて、３次元ＣＡＤデータの登録年月日の方が近時となるものがあるか否かを判別する（ステップＳ６）。この際、登録年月日の方が近時となるデータがない場合には、図１２のフローチャートに示す処理を終了する。
【００７３】
一方、登録年月日の方が近時となるデータが存在する場合には、その条件に該当する３次元ＣＡＤデータを変換処理装置１３に送り、３次元形状データへの変換を依頼する。ＣＡＤ管理サーバ１２から３次元ＣＡＤデータを受けた変換処理装置１３は、上記ステップＳ２からステップＳ５と同様に、３次元形状データへの変換処理を実行して部内閲覧管理サーバ２２や遠隔地閲覧管理サーバ２４などに転送する（ステップＳ７〜Ｓ１０）。
【００７４】
また、最新データ記憶領域１２３ａに記憶されている３次元ＣＡＤデータは、正式データとしての承認を受けると、承認データ記憶領域２２３ｂに記憶されることで、承認を受けたことが識別可能となる。
具体的には、ＣＡＤ管理サーバ１２の処理制御部１２２は、ＣＡＤ端末１１などからの要求に応答して所定の動作プログラムを実行する。これにより、端末入力制御部１２２ｄは、例えば３次元ＣＡＤデータを特定して承認を要求するための入力が可能な画像情報を作成し、通信制御部１２１によりＣＡＤ端末１１に送る。ＣＡＤ管理サーバ１２から画像情報を受けたＣＡＤ端末１１は、表示処理部１１５が処理制御部１１２の制御に従って、承認要求を入力するための画面を表示して、入力処理部１１４の操作による要求の入力を可能とする。ＣＡＤ端末１１にて入力された承認要求は、ネットワーク１０を介してＣＡＤ管理サーバ１２に送られる。
【００７５】
このようにして、最新データ記憶領域２２３ａに記憶されている３次元ＣＡＤデータを正式データとして承認するための要求が入力された際には、３次元形状データへの変換を行うため、図１３のフローチャートに示す処理が実行される。ＣＡＤ管理サーバ１２が備える処理制御部１２２は、例えば、ＣＡＤ端末１１から３次元ＣＡＤデータの承認要求を受けたことに応答して、データ記憶部１２３に記憶されている所定の動作プログラムを実行し、図１３のフローチャートに示す処理を開始する。
【００７６】
図１３のフローチャートに示す処理が開始されると、処理制御部１２２は、通信制御部１２１により、承認が依頼された３次元ＣＡＤデータを承認者が利用する端末などに送信し、承認者による承認肯定／否定の判断結果を受ける。処理制御部１２２は、受け取った判断結果に基づいて、承認者により承認が肯定されたか否かを判別する（ステップＳ１１）。この際、承認が否定されたと判別すると、処理制御部１２２は、通信制御部１２１を制御して、承認が否定された３次元ＣＡＤデータをＣＡＤ端末１１に送るなどして、承認されなかったデータを承認を要求した依頼者に返送する（ステップＳ１２）。
【００７７】
一方、承認者により承認が肯定されたと判別すると、処理制御部１２２は、変換処理の対象となる３次元ＣＡＤデータがシステム条件に基づく制約をクリアしているか否かを判別する（ステップＳ１３）。この際、３次元ＣＡＤデータに変換処理で必要なパラメータが不足しているなどして、システム条件に基づく制約をクリアしていないと判別すると、処理制御部１２２は、エラーメッセージをＣＡＤ端末１１に送るなどして、依頼者及び承認者に変換処理が中止されたことを通知する（ステップＳ１４）。
【００７８】
一方、システム条件に基づく制約をクリアしていると判別すると、処理制御部１２２は、通信制御部１２１により、変換処理の対象となる３次元ＣＡＤデータを変換処理装置１３に転送する。この際、処理制御部１２２は、３次元ＣＡＤデータと関連付けられてモデル名記憶領域１２３ｈに記憶されているモデル名を読み出し、３次元ＣＡＤデータと共に変換処理装置１３に送る（ステップＳ１５）。また、処理制御部１２２は、変換の対象となる３次元ＣＡＤデータが示す部品で用いられている他の部品の３次元ＣＡＤデータを、変換対象の３次元ＣＡＤデータと共に変換処理装置１３に送る。この際、処理制御部１２２は、タイムスタンプによる変換の場合と同様に、それぞれの３次元ＣＡＤデータが示す部品の部品番号を変換処理装置１３に通知する。
【００７９】
処理制御部１２２は、通信制御部１２１が変換処理装置１３から受けた応答信号を監視するなどして、３次元ＣＡＤデータ等の転送処理が正常に完了したか否かを判別する（ステップＳ１６）。この際、転送が正常に完了しなかったと判別すると、処理制御部１２２は、管理者宛にエラーメッセージを含んだ電子メールを作成して送信するなどして、管理者に転送エラーの発生を通知する（ステップＳ１７）。
【００８０】
一方、３次元ＣＡＤデータ等の転送が正常に完了すると、変換処理装置１３の処理制御部１３２は、所定の動作プログラムを実行することで、変換処理部１３２ａにより、ＣＡＤ管理サーバ１２から受け取った３次元ＣＡＤデータに対応する３次元形状データへの変換を実行する（ステップＳ１８）。この際、処理制御部１３２は、変換処理部１３２ａによる変換処理が正常に完了したか否かを判別し（ステップＳ１９）、正常に完了しなかった場合には、管理者宛の電子メールを作成して送信するなどして、管理者に変換エラーの発生を通知する（ステップＳ２０）。
【００８１】
一方、変換処理が正常に終了すると、変換処理装置１３は、変換により作成した３次元形状データの配信先を示す情報を、ＣＡＤ管理サーバ１２から取得する（ステップＳ２１）。ここで、ＣＡＤ管理サーバ１２の処理制御部１２２は、今回承認処理が施された３次元ＣＡＤデータを変換処理装置１３に送る際、その３次元ＣＡＤデータが承認データ記憶領域１２３ｂに記憶される旨を示す情報を、３次元ＣＡＤデータと共に変換処理装置１３に送る。また、３次元ＣＡＤデータの作成時や承認時等に、対応する３次元形状データの配信先が指定されている場合には、その配信先を示す情報を３次元ＣＡＤデータと共に変換処理装置１３に送る。
【００８２】
こうして変換処理部１３２ａによる３次元ＣＡＤデータの変換処理が終了すると、配信制御部１３２ｂにより、ＣＡＤ管理サーバ１２から通知された配信先に３次元形状データが転送される（ステップＳ２２）。ここで、今回承認処理が施された３次元ＣＡＤデータからの変換により作成された３次元形状データは、対応する３次元ＣＡＤデータが承認データ記憶領域１２３ｂに記憶されることから、例えば部内閲覧管理サーバ２２の承認データ記憶領域２２３ｂに記憶される。
【００８３】
部内閲覧管理サーバ２２の処理制御部１２２は、タイムスタンプによる変換の場合と同様にして、変換処理装置１３から受け取った３次元形状データをデータ記憶部２２３に記憶させる。
また、配信制御部１３２ｂは、部内閲覧管理サーバ２２に転送する場合と同様にして、３次元形状データを遠隔地閲覧管理サーバ２４に転送し、ＣＡＤ管理サーバ１２からの情報に従って、承認データ記憶領域２４３ｂ等に記憶させる。
【００８４】
以上のようにして、３次元ＣＡＤデータからの変換により作成された３次元形状データが、部内閲覧管理サーバ２２や遠隔地閲覧管理サーバ２４に配信されて記憶される。
即ち、図１４に示すように、ＣＡＤ管理サーバ１２と変換処理装置１３とが協働して図１２のフローチャートに示す処理を実行することにより、タイムスタンプ変換処理機能Ｆ１が実現される。また、ＣＡＤ管理サーバ１２と変換処理装置１３とが協働して図１３のフローチャートに示す処理を実行することにより、データ承認処理機能Ｆ２が実現される。変換処理装置１３では、タイムスタンプ変換処理機能Ｆ１及びデータ承認処理機能Ｆ２で取得した３次元ＣＡＤデータから３次元形状データへの変換が行われる（Ｌ１１）。こうして作成された３次元形状データは、配信制御部１３２ｂで実現されるデータ配信機能Ｆ３により、部内閲覧管理サーバ２２や遠隔地閲覧管理サーバ２４に配信されて記憶される。
【００８５】
部内閲覧管理サーバ２２に記憶された３次元形状データは、部内閲覧管理サーバ２２等が提供する閲覧システムへのアクセス権限が付与されたユーザによる操作に応答して、クライアント端末２１に提示される。部内閲覧管理サーバ２２等が提供する閲覧システムのユーザに対しては、例えば処理制御部２２２が備える権限管理部２２２ａにより予めユーザ毎の認証記号を設定することで、アクセス権限が付与されている。ユーザは、クライアント端末２１の入力処理部２１４を操作して、ユーザＩＤとパスワードからなる認証記号を入力することで、３次元形状データを用いた部品形状の閲覧ができるようになっている。
【００８６】
ここで、ユーザが部内閲覧管理サーバ２２等が提供する閲覧システムへのアクセス権限を取得する際には、例えば図１５のフローチャートに示すような処理が実行される。
【００８７】
即ち、部内閲覧管理サーバ２２等が提供する閲覧システムへのアクセス権限の取得を希望するユーザは、例えばこの閲覧システムの管理者に対して、アクセス権限を求める申請を提出する（ステップＳ３１）。この申請は、例えばクライアント端末２１の表示処理部２１５に所定の入力欄を備えた申請画面を表示させ、入力処理部２１４の操作に応答して管理者宛の電子メールを作成することなどにより、提出可能である。
【００８８】
部内閲覧管理サーバ２２が備える処理制御部２２２は、クライアント端末２１から受けたアクセス権限取得の申請に応答して所定の動作プログラムを実行し、権限管理部２２２ａにより、一次審査者がユーザからの申請を審査するための情報を作成する。例えば、権限管理部２２２ａは、上記ステップＳ３１で提出された申請の内容を示す電子メールを作成し、一次審査の権限を有する管理者宛に送信して、申請の審査を可能とする。権限管理部２２２ａは、一次審査者からの応答を受け取り、申請が一次審査を通過したか否かを判別する（ステップＳ３２）。
【００８９】
権限管理部２２２ａは、一次審査を通過しなかったと判別すると、申請が却下された旨を通知するための電子メールを作成し、アクセス権限の取得を希望したユーザに宛てて送信するなどして（ステップＳ３３）、図１５のフローチャートに示す処理を終了する。
【００９０】
一方、権限管理部２２２ａは、一次審査を通過したと判別すると、一次審査者に承認代行権限があるか否かを判別する（ステップＳ３４）。即ち、権限管理部２２２ａは、予め登録されている一次審査者に関する情報をデータ記憶部２２３から読み出すなどして、一次審査者にアクセス権限の付与を承認するための代行権限が与えられているか否かを判別する。
【００９１】
一次審査者に承認代行権限が与えられていると判別すると、一次審査者がユーザに対するアクセス権限の付与を決裁するための処理を実行し、決裁がなされたか否かを判別する（ステップＳ３５）。より具体的には、権限管理部２２２ａは、例えば表示処理部２２５に所定の決裁用画面を表示させ、入力処理部２２４からの入力に応答して、一次審査者によるアクセス権限付与の決裁を可能とする。この決裁用画面には、一次審査者を認証するためのユーザＩＤやパスワードを入力するための入力欄が設けられている。一次審査者は、入力処理部２２４を操作して決裁処理用のユーザＩＤやパスワードを入力した後、アクセス権限の付与を決裁することができる。
【００９２】
権限管理部２２２ａは、承認代行権限が与えられた一次審査者による承認の決裁がなされなかったと判別すると、処理を上記ステップＳ３３に進めて申請の却下を通知し、図１５のフローチャートに示す処理を終了する。
一方、権限管理部２２２ａは、承認の決裁がなされたと判別すると、アクセス権限の取得を希望したユーザに割り当てるユーザＩＤやパスワードを設定し、これを通知するための電子メールをユーザに宛てて送信するなどして、アクセス権限を付与するための承認処理を実行する（ステップＳ３６）。
【００９３】
また、権限管理部２２２ａは、上記ステップＳ３４にて一次審査者に承認代行権限が与えられていないと判別すると、承認権限を有する管理者がユーザに対するアクセス権限の付与を決裁するための処理を実行し、決裁がなされたか否かを判別する（ステップＳ３７）。より具体的には、権限管理部２２２ａは、例えば表示処理部２２５に所定の決済用画面を表示させ、入力処理部２２４からの入力に応答して、承認者によるアクセス権限付与の決裁を可能とする。この決裁用画面には、承認者を認証するためのユーザＩＤやパスワードを入力するための入力欄が設けられている。承認者は、入力処理部２２４を操作して決裁処理用のユーザＩＤやパスワードを入力した後、アクセス権限の付与を決裁することができる。
【００９４】
権限管理部２２２ａは、承認者による承認の決裁がなされなかったと判別すると、処理を上記ステップＳ３３に進めて申請の却下を通知し、図１５のフローチャートに示す処理を終了する。
一方、権限管理部２２２ａは、承認の決裁がなされたと判別すると、アクセス権限の取得を希望したユーザに割り当てるユーザＩＤやパスワードを設定し、これを通知するための電子メールをユーザに宛てて送信するなどして、アクセス権限を付与するための承認処理を実行する（ステップＳ３８）。
【００９５】
ここで、上記ステップＳ３８にて承認者の決裁に基づいた承認処理が実行された場合には、権限管理部２２２ａは、表示処理部２２５に所定の問い合わせ画面を表示させるなどして、承認者が一次審査者に承認代行権限を与えることを可能とする。この問い合わせ画面では、例えば「一次審査者に承認代行権限を与えますか？」といったメッセージや、承認者による入力処理部２２４の操作に応答して承認代行権限の付与を可能とするためのボタン等が表示される。権限管理部２２２ａは、入力処理部２２４からの入力に基づいて、一次審査者に承認代行権限を与えるか否かを判別する（ステップＳ３９）。この際、承認代行権限を与えないと判別すると、そのまま図１５のフローチャートに示す処理を終了する。
【００９６】
一方、権限管理部２２２ａは、一次審査者に承認代行権限を与えると判別すると、一次審査者に対して決裁処理のために割り当てるユーザＩＤやパスワードを設定し、これを通知するための電子メールを一次審査者に宛てて送信するなどして、承認代行権限を付与するための登録処理を実行する（ステップＳ４０）。
【００９７】
このように、ユーザからアクセス権限取得の申請があった後、承認者から承認の決裁が得られた場合には、承認の決裁を行うためのユーザＩＤやパスワードに関する設定を変更可能とし、一次審査者に対して承認代行権限を与えることもできる。これにより、次回以降ユーザからアクセス権限取得の申請があった場合には、一次審査者が承認の決裁をするように設定を変更することも可能となる。従って、アクセス権限を付与するための処理を効率よく実行することができ、アクセス権限を適切に管理することができる。
【００９８】
以上のようにして部内閲覧管理サーバ２２等により提供される閲覧システムへのアクセス権限を取得したユーザは、例えば、クライアント端末２１にて入力処理部２１４を操作して、閲覧システムを起動する旨の指令を入力することで、３次元形状データを用いた部品形状の閲覧などを指示することができる。
クライアント端末２１にて閲覧システムを起動する旨の指令が入力されると、部内閲覧管理サーバ２２の処理制御部２２２が所定の動作プログラムを実行し、図１６のフローチャートに示す処理を開始する。
【００９９】
図１６のフローチャートに示す処理が開始されると、処理制御部２２２は、端末入力制御部２２２ｅにより、部内閲覧管理サーバ２２が提供する閲覧システムにアクセスするための情報を、クライアント端末２１にて入力可能とする。即ち、端末入力制御部２２２ｅは、図１７に示すようにユーザＩＤやパスワードを入力するための入力欄を備えた画像情報を作成して、通信制御部２２１によりネットワーク２０を介してクライアント端末２１に送り、表示処理部２１５の画面上に表示させる。クライアント端末２１では、入力処理部２１４を操作することにより、ユーザＩＤやパスワードを入力することができる。クライアント端末２１にてユーザＩＤが入力され（ステップＳ４１）、パスワードが入力されると（ステップＳ４２）、ネットワーク２０を介して部内閲覧管理サーバ２２に送られる。
【０１００】
部内閲覧管理サーバ２２は、クライアント端末２１からユーザＩＤとパスワードを受け取ると、処理制御部２２２が検証処理部２２２ｂによる検証処理を実行し、アクセスを許可するか否かを判別する（ステップＳ４３）。この際、アクセスを許可しないと判別すると、そのまま図１６のフローチャートに示す処理を終了する。
【０１０１】
一方、アクセスを許可すると判別すると、提示処理部２２２ｃがデータ記憶部２２３に記憶されているデータのリストを示す画像情報を作成してクライアント端末２１に送り、表示処理部２１５にリスト画面を表示させる（ステップＳ４４）。このリスト画面では、最新データ記憶領域２２３ａに記憶されているデータと、承認データ記憶領域２２３ｂに記憶されているデータのうちのいずれかを、クライアント端末２１にて選択することができる。
【０１０２】
クライアント端末２１にてデータが選択されると、提示処理部２２２ｃは、次の選択に応じて閲覧可能な各種の情報をクライアント端末２１に送り、表示処理部２１５に表示させる。これにより、クライアント端末２１では、部内閲覧管理サーバ２２に記憶されている３次元形状データで示される部品の形状や、属性管理サーバ１４に記憶されている属性情報を選択して閲覧することができる。
【０１０３】
より具体的に、提示処理部２２２ｃは、クライアント端末２１での選択結果に基づいて、クライアント端末２１に提示する情報を判別する（ステップＳ４５）。この際、クライアント端末２１にて属性情報の閲覧が選択されたと判別すると（ステップＳ４５にて属性情報）、提示処理部２２２ｃが属性管理サーバ１４から対応する属性情報を読み出し、クライアント端末２１に提示して閲覧可能とする（ステップＳ４６）。これにより、クライアント端末２１の表示処理部２１５には、例えば図１８に示すような属性情報の参照表示欄が提示される。
一方、部品の形状を示す画像が選択されたと判別すると（ステップＳ４５にて部品形状）、提示処理部２２２ｃがデータ記憶部２２３から対応する３次元形状データを読み出し、クライアント端末２１に提示して閲覧可能とする（ステップＳ４７）。これにより、クライアント端末２１の表示処理部２１５には、例えば図１９に示すような３次元形状の参照表示欄が提示される。
【０１０４】
ここで、端末入力制御部２２２ｅは、モデル名を指定可能な入力欄を備えた画像情報を作成してクライアント端末２１に送り、表示処理部２１５の画面上に表示させる。クライアント端末２１にてユニット或いは製品のモデル名が指定されると、部内閲覧管理サーバ２２の提示処理部２２２ｃは、指定されたモデル名と同一の名称が付けられたフォルダに記憶されている３次元形状データをデータ記憶部２２３から読み出し、順次クライアント端末２１に提示して閲覧を可能とする。即ち、提示処理部２２２ｃは、クライアント端末２１にて入力されたモデル名に基づいて、そのユニット或いは製品で採用されている部品の３次元形状データを、当該部品で用いられている他の部品の３次元形状データも含めてクライアント端末２１に提示することができる。
【０１０５】
また、部内閲覧管理サーバ２２は、クライアント端末２１からのアクセスがあると、アクセスしてきたクライアント端末２１の識別情報（クライアント端末２１１〜２１ｎの別を示す情報）、アクセス時刻、処理内容等を示す情報を履歴記憶領域２２３ｃに記憶させる。これにより、履歴記憶領域２２３ｃには、データ記憶部２２３に記憶されている３次元形状データを取得するためのアクセスがなされた履歴が記憶される。
【０１０６】
クライアント端末２１にて部内閲覧管理サーバ２２に記憶されている３次元形状データを複写（コピー）する旨の指令が入力されると、部内閲覧管理サーバ２２の処理制御部２２２がこれを検出する。処理制御部２２２は、複写の指令を受けたことに応答して、その指令を送ったユーザに対して権限管理部２２２ａが割り当てたユーザＩＤを、コピーの対象となる３次元形状データに付加する。例えば、処理制御部２２２は、コピーの対象となる３次元形状データに対してユーザＩＤを用いた鍵暗号化処理を施すことにより、３次元形状データにユーザＩＤを付加する。提示処理部２２２ｃは、こうしてユーザＩＤが付加された３次元形状データを、コピーの指令が入力されたクライアント端末２１に提示する。クライアント端末２１では、ユーザＩＤを用いた復号化処理により３次元形状データを復元可能とすることで、３次元形状データが第三者に漏洩することを防止できる。
【０１０７】
部内閲覧管理サーバ２２に記憶された３次元形状データを用いることによりクライアント端末２１にて閲覧可能な部品の形状は、一般閲覧管理サーバ２３によってグループウェア上で閲覧可能に設定することもできる。
以下に、一般閲覧管理サーバ２３によって部品の形状を閲覧可能とするための動作について説明する。
部内閲覧管理サーバ２２は、例えば入力処理部２２４により入力された指令に応答して、一般閲覧管理サーバ２３にデータを転送してグループウェア上で提示可能とするため、図２０のフローチャートに示す処理を実行する。部内閲覧管理サーバ２２の処理制御部２２２は、データ記憶部２２３に記憶されている所定の動作プログラムを実行し、図２０のフローチャートに示す処理を開始する。
【０１０８】
図２０のフローチャートに示す処理が開始されると、処理制御部２２２は、転送処理部２２２ｄにより、一般閲覧管理サーバ２３に転送するデータの選択を可能とする。即ち、転送処理部２２２ｄでは、例えば、選択入力処理部２２２ｆが表示処理部２２５にアセンブリやパーツを指定して転送データを選択可能とする画面を表示させ、入力処理部２２４による入力を待つ。これにより、ユーザは、入力処理部２２４からの入力により転送するデータを選択することができる（ステップＳ５１）。
【０１０９】
転送するデータが選択されると、選択読出処理部２２２ｇがデータ記憶部２２３を検索し、転送の対象となる３次元形状データを読み出す。この際、選択読出処理部２２２ｇは、３次元形状データが格納されているファイルの属性や３次元形状データ自体の形式等に基づいて、転送を指示された３次元形状データが一般公開可能なデータであるか否かを判別する（ステップＳ５２）。
【０１１０】
この際、一般公開できないデータであると判別すると、表示処理部２２５に所定の確認画面を表示させるなどして、一般公開を行うか否かをユーザに問い合わせる。選択読出処理部２２２ｇは、入力処理部２２４からの入力情報に基づいて、一般公開を実施するか否かを判別する（ステップＳ５３）。一般公開を実施しないと判別した場合には、そのまま図２０のフローチャートに示す処理を終了する。一方、一般公開を実施すると判別した場合には、転送の対象となる３次元形状データの形式を変換するなどして、転送するデータを簡略化する（ステップＳ５４）。より具体的には、データ削除部２２２ｈが転送を指示された３次元形状データの一部を削除するなどして、転送するデータの簡略化を図る。この際に削除されるデータには、３次元形状データを識別するための識別番号や、３次元形状データの作成者を示すデータなどが含まれている。
上記ステップＳ５２にて一般公開可能なデータであると判別した場合には、上記ステップＳ５３、Ｓ５４の処理はスキップされる。
【０１１１】
この後、転送処理部２２２ｄは、関連削除部２２２ｉにより、転送する３次元形状データに関する全ての属性情報との関連付けを削除する（ステップＳ５５）。属性情報との関連付けが削除された３次元形状データは、所定の圧縮処理により転送用のデータに変換され（ステップＳ５６）、一般閲覧管理サーバ２３に転送される（ステップＳ５７）。
【０１１２】
一般閲覧管理サーバ２３は、部内閲覧管理サーバ２２から受け取ったデータをデータ記憶部２３３に記憶させ、グループウェア上での提示を可能とする。一般閲覧管理サーバ２３がグループウェア上で提供する情報管理システムのユーザに対しては、例えば処理制御部２３２が備える権限管理部２３２ａにより予めユーザ毎の認証記号を設定することで、アクセス権限が付与されている。権限管理部２３２ａは、部内閲覧管理サーバ２２の権限管理部２２２ａとは独立してアクセス権限を管理し、別個にユーザ毎の認証記号を設定することができる。なお、権限管理部２３２ａは、部内閲覧管理サーバ２２の権限管理部２２２ａにおけるアクセス権限に関する設定を承継してもよく、部内閲覧管理サーバ２２が提供する閲覧システムのユーザに対して、一般閲覧管理サーバ２３が提供する情報管理システムにおける情報の閲覧を許可するようにしてもよい。ユーザは、クライアント端末２１の入力処理部２１４を操作して、ユーザＩＤとパスワードからなる認証記号を入力することで、グループウェア上に構築された情報管理システムを用いた部品形状の閲覧ができるようになっている。
【０１１３】
例えば、クライアント端末２１にてグループウェアを起動する旨の指令が入力されると、一般閲覧管理サーバ２３の処理制御部２３２が所定の動作プログラムを実行し、図２１のフローチャートに示す処理を開始する。
【０１１４】
図２１のフローチャートに示す処理が開始されると、処理制御部２３２は、一般閲覧管理サーバ２３が提供する情報管理システムにアクセスするための情報を、クライアント端末２１にて入力可能とする。即ち、処理制御部２３２は、図１７に示したものと同様なユーザＩＤやパスワードを入力するための入力欄を備えた画像情報を作成して、通信制御部２３１によりネットワーク２０を介してクライアント端末２１に送り、表示処理部２１５の画面上に表示させる。クライアント端末２１では、入力処理部２１４を操作することにより、ユーザＩＤやパスワードを入力することができる。クライアント端末２１にてユーザＩＤが入力され（ステップＳ６１）、パスワードが入力されると（ステップＳ６２）、ネットワーク２０を介して一般閲覧管理サーバ２３に送られる。
【０１１５】
一般閲覧管理サーバ２３は、クライアント端末２１からユーザＩＤとパスワードを受け取ると、処理制御部２３２が検証処理部２３２ｂによる検証処理を実行し、グループウェア上でのアクセスを許可するか否かを判別する（ステップＳ６３）。この際、アクセスを許可しないと判別すると、そのまま図２１のフローチャートに示す処理を終了する。
【０１１６】
一方、アクセスを許可すると判別すると、提示処理部２３２ｃは、データ記憶部２３３に記憶されている情報に基づいて、例えば開発テーマ別に分類されたデータのリストを示す情報を作成してクライアント端末２１に送り、図２２（ａ）に例示するようなリスト画面を表示処理部２１５に表示させる（ステップＳ６４）。このリスト画面では、開発テーマ別に分類されたデータのうちから、クライアント端末２１にて取り出すものを選択することができる。
【０１１７】
クライアント端末２１にてデータが選択されると、提示処理部２３２ｃは、選択されたデータに対応する文書ファイルをデータ記憶部２３３から読み出してクライアント端末２１に送るなどの処理を実行する。これにより、グループウェア上で管理された文書を示す画面が表示処理部２１５に表示され、選択されたデータに対応する文書がユーザに提示される（ステップＳ６５）。図２２（ｂ）は、この文書表示画面の一例を示す図である。図２２（ｂ）に示すように、この文書表示画面には、データ記憶部２３３に圧縮された状態で記憶されている３次元形状データを示すアイコンＩＣが表示される。クライアント端末２１では、入力処理部２１４の操作によりこのアイコンＩＣをクリックすることで、３次元形状データの選択を指示することができる。
【０１１８】
クライアント端末２１にて３次元形状データの選択が指示されると、提示処理部２３２ｃは、ダウンロードの指令を入力するためのボタンを備えた画像情報を作成してクライアント端末２１に送り、図２２（ｃ）に例示するような確認画面を表示処理部２１５に表示させる。クライアント端末２１にてダウンロードの指令が入力されると、提示処理部２３２ｃは、対応する３次元形状データを圧縮されたままの状態でデータ記憶部２３３から読み出し、クライアント端末２１に送ってダウンロードさせる（ステップＳ６６）。
【０１１９】
圧縮された３次元形状データをダウンロードしたクライアント端末２１は、入力処理部２１４から入力された指令などに応答してデータの伸張処理を実行し（ステップＳ６７）、表示処理部２１５に提示して閲覧可能とする（ステップＳ６８）。これにより、クライアント端末２１では、グループウェア上で管理されている圧縮された３次元形状データに基づいて、図１９に示したものと同様な３次元形状の参照表示欄が提示される。
【０１２０】
以上説明したように、この発明によれば、３次元ＣＡＤシステム１により生成された３次元ＣＡＤデータは、変換処理装置１３により３次元形状データに変換され、部内閲覧管理サーバ２２によって閲覧可能に提示されることで共有化することができる。ここで、部内閲覧管理サーバ２２に記憶された３次元形状データは、アクセス権限が管理された状態でクライアント端末２１に提示することができる。
また、グループウェア上でアクセス権限が管理されている一般のユーザにも提示可能とする場合には、部内閲覧管理サーバ２２に記憶されている３次元形状データを簡略化し、圧縮された状態で一般閲覧管理サーバ２３に記憶させる。
ここで、一般閲覧管理サーバ２３は、部内閲覧管理サーバ２２とは独立してアクセス権限を管理するので、アクセス権限を適切に管理して、情報閲覧システム２で提供される情報のセキュリティを高めることができる。
【０１２１】
この発明は、上記実施の形態に限定されず、様々な変形及び応用が可能である。例えば、３次元ＣＡＤシステム１や情報閲覧システム２に備えられた各種の装置（ＣＡＤ管理サーバ１２、変換処理装置１３、属性管理サーバ１４、部内閲覧管理サーバ２２、一般閲覧管理サーバ２３等）は、統合的に機能する１台のサーバから構成されてもよいし、協働して動作する複数台のサーバから構成されてもよい。さらに、データベースや記憶領域の構成も上記構成に限定されず、２以上のデータベースや記憶領域を統合してもよく、或いは、１つのデータベース或いは記憶領域を機能的に複数に分割してもよい。各データベースや記憶領域は、サーバ外部に設置された磁気ディスク記録装置等にデータを記録することによっても実現可能である。
【０１２２】
コンピュータ又はコンピュータ群を、上述のシステムとして機能させ、或いは、上述の工程を実行させるために必要なプログラムの全部又は一部を、記録媒体（ＩＣメモリー、磁気ディスク、光ディスク、光磁気ディスク、磁気テープ）等に記録して配布・流通させてもよい。
【０１２３】
【発明の効果】
この発明によれば、３次元ＣＡＤシステムにより生成された３次元ＣＡＤデータからの変換により３次元形状データを作成して提示することができ、アクセス権限を適切に管理することができる。
【図面の簡単な説明】
【図１】この発明の実施の形態に係るネットワークシステムの構成を示す図である。
【図２】ＣＡＤ端末の構成を示す図である。
【図３】ＣＡＤ管理サーバの構成を示す図である。
【図４】ＣＡＤ管理サーバが備えるデータ記憶部の論理的構成を示す図である。
【図５】変換処理装置の構成を示す図である。
【図６】（ａ）は属性管理サーバの構成を示す図であり、（ｂ）はクライアント端末の構成を示す図である。
【図７】部内閲覧管理サーバの構成を示す図である。
【図８】部内閲覧管理サーバが備える処理制御部の論理的構成を示す図である。
【図９】一般閲覧管理サーバの構成を示す図である。
【図１０】遠隔地閲覧管理サーバの構成を示す図である。
【図１１】３次元ＣＡＤシステムにより作成されたデータが登録される動作を説明するための図である。
【図１２】タイムスタンプによる変換を行う処理について説明するためのフローチャートである。
【図１３】正式データとして承認するための要求が入力された際に実行される処理を説明するためのフローチャートである。
【図１４】３次元ＣＡＤデータからの変換により３次元形状データを作成して配信する動作を説明するための図である。
【図１５】閲覧システムへのアクセス権限を取得する際に実行される処理を説明するためのフローチャートである。
【図１６】３次元形状データを用いて部品形状などの閲覧を可能にする処理を説明するためのフローチャートである。
【図１７】閲覧システムにアクセスするための情報を入力可能とする画面を示す図である。
【図１８】属性情報の参照表示欄の一例を示す図である。
【図１９】３次元形状の参照表示欄の一例を示す図である。
【図２０】一般閲覧管理サーバにデータを転送してグループウェア上で提示可能とする処理を説明するためのフローチャートである。
【図２１】グループウェア上で部品形状の閲覧を可能にする処理を説明するためのフローチャートである。
【図２２】（ａ）はリスト画面の一例を、（ｂ）は文書表示画面の一例を、（ｃ）は確認画面の一例を示す図である。
【符号の説明】
１    ３次元ＣＡＤシステム
２    情報閲覧システム
１０、２０    ネットワーク
１１    ＣＡＤ端末
１２    ＣＡＤ管理サーバ
１３    変換処理装置
１４    属性管理サーバ
２１    クライアント端末
２２    部内閲覧管理サーバ
２３    一般閲覧管理サーバ
２４    遠隔地閲覧管理サーバ
【図１】
0003868284.tif 000002
【図２】
0003868284.tif 000003
【図３】
0003868284.tif 000004
【図４】
0003868284.tif 000005
【図５】
0003868284.tif 000006
【図６】
0003868284.tif 000007
【図７】
0003868284.tif 000008
【図８】
0003868284.tif 000009
【図９】
0003868284.tif 000010
【図１０】
0003868284.tif 000011
【図１１】
0003868284.tif 000012
【図１２】
0003868284.tif 000013
【図１３】
0003868284.tif 000014
【図１４】
0003868284.tif 000015
【図１５】
0003868284.tif 000016
【図１６】
0003868284.tif 000017
【図１７】
0003868284.tif 000018
【図１８】
0003868284.tif 000019
【図１９】
0003868284.tif 000020
【図２０】
0003868284.tif 000021
【図２１】
0003868284.tif 000022
【図２２】
0003868284.tif 000023